【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
シートの表面に画像が記録されたシートに所定の処理を施すシート処理装置であって、
シートを裁断するための裁断手段と、前記シートの表面への記録に関わる情報をシートの裏面に記録するための記録手段と、を有し、
前記裁断手段によりシートを裁断する動作と前記記録手段により前記シートの裏面に記録する動作を並行して行うことを特徴とするシート処理装置。
【請求項２】
前記裁断手段は、シートの搬送方向に対して直交する方向にシートを裁断する第１の裁断手段と、シートの搬送方向に沿ってシートを裁断する第２の裁断手段のうち少なくとも一方であることを特徴とする請求項１に記載のシート処理装置。
【請求項３】
前記裁断手段と前記記録手段は、動作可能な作動位置と動作しない非作動位置に同時に移動するように構成されていることを特徴とする請求項１又は２に記載のシート処理装置。
【請求項４】
前記第２の裁断手段は、シートの搬送方向に沿うシートの両側端部とシートの中央部のうち少なくとも一方を裁断することを特徴とする請求項２に記載のシート処理装置。
【請求項５】
前記第２の裁断手段は、シートの搬送方向に沿うシートの両側端部とシートの中央部を裁断する位置のうち少なくとも一方に備えられていることを特徴とする請求項２又は４に記載のシート処理装置。
【請求項６】
前記第２の裁断手段は、前記シートの搬送方向と直交する方向に移動可能であることを特徴とする請求項２、４、５のいずれか１項に記載のシート処理装置。
【請求項７】
前記記録手段は、複数設けられていることを特徴とする請求項１乃至６のいずれか１項に記載のシート処理装置。
【請求項８】
前記記録手段は、シートの搬送方向に直交する方向に移動可能に設けられていることを特徴とする請求項１乃至７のいずれか１項に記載のシート処理装置。
【請求項９】
前記裁断手段と前記記録手段とを一体に設けたことを特徴とする請求項１乃至８のいずれか１項に記載のシート処理装置。
【請求項１０】
前記複数の記録手段のうち、記録を行わない記録手段を、シートの通過領域から退避させることを特徴とする請求項７に記載のシート処理装置。
【請求項１１】
前記シートの表面に光沢を付与する光沢付与手段を有することを特徴とする請求項１乃至１０のいずれか１項に記載のシート処理装置。
【請求項１２】
前記裁断手段は、シートの搬送方向において前記光沢付与手段の下流側に配置されることを特徴とする請求項１１に記載のシート処理装置。
【請求項１３】
シートに画像を形成する画像形成手段と、前記画像が形成されたシートに所定の処理を施すシート処理装置と、を有する画像形成装置において、前記シート処理装置として請求項１乃至請求項１２のいずれか１項に記載のシート処理装置を有することを特徴とする画像形成装置。
【手続補正２】
【補正対象書類名】明細書
【補正対象項目名】０００８
【補正方法】変更
【補正の内容】
【０００８】
上記目的を達成するための本発明の代表的な構成は、シートの表面に画像が記録されたシートに所定の処理を施すシート処理装置であって、シートを裁断するための裁断手段と、前記シートの表面への記録に関わる情報をシートの裏面に記録するための記録手段と、を有し、前記裁断手段によりシートを裁断する動作と前記記録手段により前記シートの裏面に記録する動作を並行して行うことを特徴とする。
【手続補正３】
【補正対象書類名】明細書
【補正対象項目名】００２０
【補正方法】変更
【補正の内容】
【００２０】
（給紙ユニットの構成）
給紙ユニット３は、複数枚の記録シートをそのサイズごとに分けて積載収容する複数の給紙カセット３１Ａ，３１Ｂ，３１Ｃ，３１Ｄを有する。この給紙ユニット３は、その給紙カセット３１からシート送出装置３２により記録シートを１枚ずつ送り出す。この記録シートは、複数の搬送ローラやガイド部材等にて構成される給紙搬送路３４を通してレジストローラ３３まで搬送される。その後、そのレジストローラ３３により記録シートを２次転写タイミングに合わせて２次転写位置に送り込むようになっている。
【手続補正４】
【補正対象書類名】明細書
【補正対象項目名】００３７
【補正方法】変更
【補正の内容】
【００３７】
（裁断装置の構成）
図２は本実施形態に係る裁断装置６の側断面図である。図３は前記裁断装置６の上面図である。裁断装置６のシート搬送方向上流側には、搬送ローラ６５が配置されている。搬送ローラ６５は駆動モータ１０１により駆動されている。その下流側にはシートの搬送方向に記録シートを裁断する第２の裁断手段としての１対のホイール式カッター７１ａ，７１ｂ、及び１対のホイール式カッター７２ａ，７２ｂが配置されている。ホイール式カッター７１，７２の間には搬送ローラ６６が配置されている。ホイール式カッター７２の下流側には搬送ローラ６７が配置されている。搬送ローラ６６，６７はそれぞれ駆動モータ１０３，１０４により独立に駆動されている。またホイール式カッター７１，７２はモータ１０２により駆動されている。また、ホイール式カッター７１ａ，７１ｂとホイール式カッター７２ａ，７２ｂとは、それぞれ独立して、シート搬送方向に対して直交する方向に移動可能となっている。ホイール式カッター７１ａ，７１ｂとホイール式カッター７２ａ，７２ｂは上流下流に別々に配置されているが、同軸上に設けるようにしてもよい。ホイール式カッター７１ａ，７１ｂはシート両側端部を裁断し、ホイール式カッター７２ａ，７２ｂはシート中央部を裁断するために設けられているが、両方を備える必要はなく、使用される記録シートのサイズによってはいずれか一方が設けられていればよい。
【手続補正５】
【補正対象書類名】明細書
【補正対象項目名】００３８
【補正方法】変更
【補正の内容】
【００３８】
搬送ローラ６７の下流側には、ギロチン式カッターユニット８０が配置されている。このギロチン式カッターユニット８０には、記録手段としての印字装置８１ａ，８１ｂ、第１の裁断手段としてのギロチン式カッター７３、シート検知センサ７４が一体に設けられている。ギロチン式カッター７３はモータ１０５により駆動されている。ギロチン式カッター７３はシートの搬送方向に対して直交する方向に記録シートを裁断する。本実施形態において、印字装置８１とギロチン式カッター７３とを一体的にギロチン式カッターユニット８０としてユニット化したが、これに限定されるものではない。例えば、印字装置８１とシートの搬送方向に記録シートを裁断するホイール式カッター７１，７２を一体的にユニット化してもよい。さらに、ギロチン式カッター７３とホイール式カッター７１，７２は両方を備える必要はなく、使用される記録シートのサイズによってはいずれか一方が印字装置８１と一体的にユニット化して設けられていればよい。すべて一体的にユニット化してもよいが、小型化という観点からは必要最小限のユニット構成にすることが好ましい。
【手続補正６】
【補正対象書類名】明細書
【補正対象項目名】００４０
【補正方法】変更
【補正の内容】
【００４０】
また、この印字装置８１ａ，８１ｂは、それぞれ独立して、シート搬送方向に対して直交する方向に移動可能となっている。複数の印字装置を独立して移動可能に設けることにより、記録動作に要する時間を短縮することができる。シート搬送方向に対して直交する方向に並べて配置することにより、小サイズ紙から大サイズ紙まで対応することができる。ギロチン式カッター７３は、シートの搬送方向に対して直交する方向に記録シートを裁断するものである。シート検知センサ７４は、シートの搬送方向先端を検知するための検知手段である。
【手続補正７】
【補正対象書類名】明細書
【補正対象項目名】００４２
【補正方法】変更
【補正の内容】
【００４２】
ギロチン式カッター７３は板状の裁断刃であり、可動刃７３ａと固定刃７３ｂという一対の刃によって構成されている。このギロチン式カッター７３は、シートの搬送方向に沿って所定の間隔をあけて平行状態で配置されているとともに、その搬送方向と直交する方向においてその可動刃７３ａと固定刃７３ｂとが上下位置に対向した状態で配置されている。このうち固定刃７３ｂは、記録シートの搬送路内に位置するように配置されている。一方、可動刃７３ａは、ギロチン式カッターユニット８０に固定されており、ギロチン式カッターユニット８０が固定刃７３ｂに対して接近および離間可能な方向（上下方向）に変位可能となっている。そして、その変位により可動刃７３ａが固定刃７３ｂと近接交差して裁断可能な状態になる仕組みになっている。このカッター７３による裁断動作は、シート検知センサ７４により記録シートの搬送方向先端を検知し、所定のタイミングの後に記録シートを停止させ、裁断する。
【手続補正８】
【補正対象書類名】明細書
【補正対象項目名】００４３
【補正方法】変更
【補正の内容】
【００４３】
また、前記可動刃７３ａと前記印字装置８１は、動作可能な作動位置と動作しない非作動位置に同時に移動するように構成されている。すなわち、前記カッター７３の裁断のタイミングと同時に、印字装置８１も上下方向に変位するようになっている。そして、ギロチン式カッターユニット８０が下降（作動位置に移動）してカッター７３により記録シートの裁断を行っている間に、印字装置８１による記録シート裏面への印字が行われるようになっている。すなわち、前記カッター７３により記録シートを裁断する動作と前記印字装置８１により前記記録シート裏面に記録する動作を並行して行うようになっている。
【手続補正９】
【補正対象書類名】明細書
【補正対象項目名】００５０
【補正方法】変更
【補正の内容】
【００５０】
一方、Ａ４サイズのような大判サイズのシートを作成する場合には、記録シートの中央部をカットする必要がないため、ホイール式カッター７２を裁断不能な位置に退避する（Ｓ１２２）。一方、ホイール式カッター７１は、操作部により入力された出力シートのサイズに応じて、所望の位置に調整され待機する（Ｓ１２３）。また、ホイール式カッター７２の退避動作と合わせて、複数ある印字装置８１ａ，８１ｂのうち、記録を行わない印字装置８１ｂをシートの通過領域から退避する位置に移動する（Ｓ１２４）。そして、裁断装置６に搬送された記録シートは、搬送ローラ６５，６６により装置内を搬送され、ホイール式カッター７１を通過することでシート両側端部が裁断される。（Ｓ１２５）。
【手続補正１０】
【補正対象書類名】明細書
【補正対象項目名】００５１
【補正方法】変更
【補正の内容】
【００５１】
続いて、前記記録シートの先端部がシート検知センサ７４で検知されてから所定時間が経過すると、搬送ローラ６５〜６８のシート搬送動作が一旦停止する。その停止状態においてギロチン式カッター７３の可動刃７３ａが下降移動して固定刃７３ｂとそれぞれ近接交差する。これにより、記録シートの先端側がシート搬送方向と直交する方向に裁断される（Ｓ１１９又はＳ１２６）。同時に、可動刃７３ａが下降した状態のまま、印字装置８１ａ，８１ｂをシート搬送方向と直交する方向に移動させつつ、印字装置８１ａ，８１ｂにより記録シートの裏面にシート表面への記録に関わる情報（元画像のファイルの画像Ｎｏやプリント時の色補正データ等）を記録する（Ｓ１１９又はＳ１２６）。このように、記録シートの裏面への記録動作を、ギロチン式カッターの可動刃７３ａの上下動に合わせて行うことで、裁断動作と記録動作のために記録シートをそれぞれ停止させる必要がなくなる。すなわち、生産性を低下させることなく、シートの裁断及びシート裏面への情報記録が可能である。
【手続補正１１】
【補正対象書類名】図面
【補正対象項目名】図１
【補正方法】変更
【補正の内容】
【図１】
2007044900.tif 000001